(57)【要約】【課題】火葬施設を使用しない新たな形式の遺体の処理方法を提供する。【解決手段】遺体を冷凍処理した後に、収骨に必要な部分の回収を行うとともに、残部を粉砕処理し、その後、収骨用に回収した部分は焼却処理して遺骨や遺灰とし、一方、残部の粉砕物はゴミとして回収するようにする。または、遺体から収骨に必要な部分の回収を行った後、遺体の残部を冷凍処理し、次いで粉砕処理して、その後、収骨用に回収した部分は焼却処理して遺骨や遺灰とし、一方、残部の粉砕物はゴミとして回収するようにする。更に、遺骨や遺灰を、大気圏外へ搬送した後、大気圏外に散布して宇宙葬とすることもできる。【選択図】図１
2018189303.tif 000002
【特許請求の範囲】
【請求項１】
遺体を冷凍処理した後に、収骨に必要な部分の回収を行うとともに、残部を粉砕処理し、その後、収骨用に回収した部分は焼却処理して遺骨や遺灰とし、一方、残部の粉砕物はゴミとして回収することを特徴とする遺体の処理方法。
【請求項２】
遺体から収骨に必要な部分の回収を行った後、遺体の残部を冷凍処理し、次いで粉砕処理して、その後、収骨用に回収した部分は焼却処理して遺骨や遺灰とし、一方、残部の粉砕物はゴミとして回収することを特徴とする遺体の処理方法。
【請求項３】
ゴミとして回収した粉砕物を、焼却処理して灰化する請求項１または２に記載の遺体の処理方法。
【請求項４】
遺骨や遺灰を、大気圏外へ搬送した後、大気圏外に散布して宇宙葬とする請求項１または２に記載の遺体の処理方法。
【発明の詳細な説明】
【技術分野】
【０００１】
本発明は、火葬施設を使用しない新たな形式の遺体の処理方法に関するものである。
【背景技術】
【０００２】
従来から、我が国においては人間の遺体やペット等の動物の遺体の処理方法として火葬施設を利用して焼却処理するのが一般的である。この場合は、焼却処理後において必要な部分の遺骨の収骨が行われると、その後、残部の遺骨や遺灰は産業廃棄物として廃棄処分されたり、水洗して下水に流されたりしていた。
【０００３】
一方、近年では高齢化社会となって葬儀の数が増加傾向にあることや、ペット等の動物遺体も火葬処理する件数が増えたことにより、火葬施設の絶対数が不足傾向にある。この結果、火葬施設の空きがないことから葬儀の日程がすぐに決められないという問題や、遠くの火葬施設を使用せざるを得なくなり不便であるという問題や、火葬施設の空きがなくペット等の動物遺体の焼却処理を断念せざるを得なくなるという問題など、種々のトラブルが生じてきた。
【０００４】
そこで、各地の自治体において火葬施設の数を増やすことが検討されているが、予算上の問題や従業員の確保等の問題から増加することは困難であり、火葬施設の数は増えていないのが現状である。一方、特許文献１に示されるように、植物が植えられた周辺に遺骨を埋葬するという遺骨処理方法や、特許文献２に示されるように、コンピュータを利用して遺骨や位牌等の管理をするシステム等の新しい処理方法が提案されている。
しかしながら、特許文献１〜２に示される処理方法は、墓地不足の解消に貢献するものの、いずれも遺体を焼却処理することが前提となっており、火葬施設数の不足を解消することにはならなかった。従って、火葬施設を使用しない新たな形式の遺体の処理方法の提案が要望されていた。
【先行技術文献】
【特許文献】
【０００５】
【特許文献１】特開２００８−１７８８３０号公報
【特許文献２】特開２００８−１９８００４号公報
【発明の概要】
【発明が解決しようとする課題】
【０００６】
本発明は上記のような従来の問題点を解決して、火葬施設を使用しない新しい方式の遺体の処理方法を提供することを目的とするものである。更には、遺骨や遺灰を得るまでの焼却処理の時間を短くすることができ、また燃料費も安くすることができる遺体の処理方法を提供することを目的とするものである。
【課題を解決するための手段】
【０００７】
上記課題を解決するためになされた本発明の遺体の処理方法は、遺体を冷凍処理した後に、収骨に必要な部分の回収を行うとともに、残部を粉砕処理し、その後、収骨用に回収した部分は焼却処理して遺骨や遺灰とし、一方、残部の粉砕物はゴミとして回収することを特徴とするもので、これを請求項１に係る発明とする。
【０００８】
また、もう一つの本発明の遺体の処理方法は、遺体から収骨に必要な部分の回収を行った後、遺体の残部を冷凍処理し、次いで粉砕処理して、その後、収骨用に回収した部分は焼却処理して遺骨や遺灰とし、一方、残部の粉砕物はゴミとして回収することを特徴とするもので、これを請求項２に係る発明とする。
【０００９】
その他の好ましい実施形態によれば、ゴミとして回収した粉砕物を、焼却処理して灰化するのが好ましく、これを請求項３に係る発明とする。
【００１０】
また、その他の好ましい実施形態によれば、遺骨や遺灰を、大気圏外へ搬送した後、大気圏外に散布して宇宙葬とするのが好ましく、これを請求項４に係る発明とする。
【発明の効果】
【００１１】
請求項１に係る発明では、遺体を冷凍処理した後に、収骨に必要な部分の回収を行うとともに、残部を粉砕処理し、その後、収骨用に回収した部分は焼却処理して遺骨や遺灰とし、一方、残部の粉砕物はゴミとして回収するようにしたので、従来のように火葬施設を利用して遺体の焼却処理を行う必要がなくなり、火葬施設の不足に起因する種々のトラブルを解消することができる。また、遺骨や遺灰を得るまでの遺体の焼却処理も必要最低限の処理量とすることができ、小型で簡便な焼却炉でよく設備費および燃料費を大幅に削減することができる。
【００１２】
請求項２に係る発明では、遺体から収骨に必要な部分の回収を行った後、遺体の残部を冷凍処理し、次いで粉砕処理して、その後、収骨用に回収した部分は焼却処理して遺骨や遺灰とし、一方、残部の粉砕物はゴミとして回収するようにしたので、請求項１に係る発明と同様に、火葬施設を利用する必要がなく、また、設備費および燃料費も大幅に削減することができる。
【００１３】
請求項３に係る発明のように、ゴミとして回収した粉砕物を、焼却処理して灰化するようにする場合は、従来のように遺体の焼却処理を行うのと異なり、細かな粉砕物を対象に焼却処理するため、火葬施設を用いなくても焼却処理が可能となる。
【００１４】
請求項４に係る発明のように、遺骨や遺灰を、大気圏外へ搬送した後、大気圏外に散布して宇宙葬とする場合は、従来のような墓地が不要となり墓地の用地不足の問題を解消することができ、また遺族の墓地管理の問題も解消することができる。
【図面の簡単な説明】
【００１５】
【図１】第１の発明の処理工程を示すフロー図である。
【図２】第２の発明の処理工程を示すフロー図である。
【発明を実施するための形態】
【００１６】
以下に、図面を参照しつつ本発明の好ましい実施の形態を示す。
図１は、第１の発明の処理工程を示すフロー図である。遺体は、先ず冷凍処理を施して凍らせた状態とする。具体的には、例えば−１０〜−３０℃に設定した冷凍庫に遺体を所定の時間保管することで凍らすことができる。
【００１７】
次いで、収骨に必要な部分の回収を行う。収骨する部分は、例えば、のど仏、歯、頭がい骨、その他の骨の一部等である。これらの部分は、凍らせた状態にある遺体から鋸、斧、ナイフ、電動式鋸等を用いて切断あるいは切削することにより、比較的容易に取り出すことが可能である。また、常温状態の遺体を切断すると血、リンパ液、内蔵、肉等が飛び散って作業が困難となるが、冷凍処理した遺体の場合はそのような飛び散りがなく、スムーズに切断作業を行うことができる。
【００１８】
一方、収骨に必要な部分の回収が済んだ残部は、例えば電動式粉砕機により粉砕処理を施して焼却処理しやすい所定の大きさの断片に粉砕する。粉砕した破片の大きさは特に限定するものではなく、後工程の焼却処理時に焼却炉への供給のしやすさ、着火した時の温度制御のしやすさ、粉砕に要する時間等を考慮して決定するのが好ましい。
なお、収骨に必要な部分の回収は、この粉砕処理の前に行う場合について説明したが、粉砕処理を施した後に粉砕された破片の中から収骨に必要な部分を選別して回収することもできる。
【００１９】
その後、収骨用に回収した部分は焼却処理して遺骨や遺灰とする。この場合、収骨用に回収した部分は量的に非常に少ないので、小型の電気炉等により簡単に焼却することができる。従って、従来の火葬施設を利用して遺体の焼却処理を行う必要がなく、また焼却時間も短く、燃料消費量も少なくできるという利点を有する。
【００２０】
一方、残部の粉砕物はゴミとして回収する。この粉砕物は焼却処理しやすい大きさの断片となっており、その後、一般の生ゴミと同様に回収したうえ焼却処理を施して灰化することができる。また、焼却の対象は粉砕物で小さな塊のため、火葬施設を利用する必要はなく、しかも焼却時間が短く、燃料消費量も少なくできるという利点を有する。
【００２１】
焼却処理をして得られた遺骨や遺灰は、大気圏外へ搬送した後、大気圏外に散布して宇宙葬とすることができる。近年、宇宙旅行から宇宙空間における冷凍保存等、様々な宇宙空間を利用したビジネスが提案されており、遺骨や遺灰を宇宙空間へ返すという意義を持つ宇宙葬が実現可能となる。この場合は、従来のような墓地が不要となり墓地の用地不足の問題を解消することができ、また遺族の墓地管理の問題も解消することができるという利点がある。
その他、焼却処理をして得られた遺骨や遺灰を、従来と同様に墓地に埋葬することや、植物が植えられた周辺に埋葬することや、海上や川や空中に散布してもよいことは勿論である。
【００２２】
次に、第２の発明について説明する。
図２は、第２の発明の処理工程を示すフロー図である。
第２の発明では、先ず、遺体から収骨に必要な部分の回収を行う。収骨する部分は、例えば、のど仏、歯、頭がい骨、その他の骨の一部等であるが、これらの部分は容量的に小さいため、比較的容易に取り出すことが可能である。また、内蔵等と違って浅い位置にあるため血、リンパ液等の飛び散りが少なく、スムーズに回収作業を行うことができる。
その後、収骨用に回収した部分は焼却処理して遺骨や遺灰とする点は第１の発明と同様である。
【００２３】
一方、遺体の残部は冷凍処理が施され、次いで粉砕処理が施される。また、この粉砕物はゴミとして回収され、更に、回収したゴミは焼却処理が施されて灰化されるが、以上の冷凍処理、粉砕処理、ゴミ回収、焼却処理は第１の発明と同様である。
【００２４】
また、第２の発明においても、焼却処理をして得られた遺骨や遺灰は、大気圏外へ搬送した後、大気圏外に散布して宇宙葬とすることができる。その他、遺骨や遺灰を、従来と同様に墓地に埋葬することや、植物が植えられた周辺に埋葬することや、海上や川や空中に散布してもよいことも勿論である。
【００２５】
以上の説明からも明らかなように、本発明では、遺体の冷凍処理と粉砕処理、および収骨に必要な部分の回収処理を行うことによって、従来のように火葬施設を利用して遺体の焼却処理を行う必要をなくすことができる。
この結果、火葬施設の空きがないことから葬儀の日程がすぐに決められないという問題や、遠くの火葬施設を使用せざるを得なくなり不便であるという問題や、火葬施設の空きがなくペット等の動物遺体の焼却処理を断念せざるを得なくなるという問題など、火葬施設の不足に起因する種々のトラブルを解消することができる。また、遺骨や遺灰を得るまでの遺体の焼却処理も必要最低限の処理量とすることができ、小型で簡便な焼却炉でよく設備費および燃料費を大幅に削減することができるという利点も有する。
【図１】
2018189303.tif 000003
【図２】
2018189303.tif 000004